(57)【要約】  浴槽の含まれた幼児用カーシートに係り、衛生的であり、使い勝手の好ましい浴槽が含まれた幼児用カーシートを提供する。本発明の一具現例は、排出管が形成された浴槽と、排便水収容用筒と、ビデ装置とから構成され、子供を洗った水が排出管を介して排便水収容用筒に入るようにさせて衛生的で、使い勝手にすぐれている。また、本発明の他の具現例は排出管が形成された浴槽と、排便水収容用筒と、移動式ビデ機と、洗車用ブラシと、補助シートバックと、を含んで構成され、子供を洗った水が、排出管を介して排便水収容用筒に入るようにさせ、衛生的であって、移動式ビデ機を使用し、子供を洗わないときには、洗車を行うことが可能であり、非常に使い勝手にすぐれている。
2013525205.tif 000002
【特許請求の範囲】
【請求項１】
浴槽を含む乳児用カーシートにおいて、
自動車のシートに固定され、子供が座るシートバック部（１１）が形成された本体（１０）と、
前記シートバック部（１１）に載置され、子供を洗った後で汚くなった水を排出させる排出管（２１）が形成された浴槽（２０）と、
前記排出管（２１）から排出される汚水を収容する排便水収容筒（３０）と、
を備えることを特徴とする乳児用カーシート。
【請求項２】
浴槽を含む乳児用カーシートにおいて、
自動車のシートに固定され、子供が座るシートバック部（１１）が形成された本体（１０）と、
前記シートバック部（１１）に載置され、子供を洗った後で汚くなった水を排出させる排出管（２１）が形成された浴槽（２０）と、
前記排出管（２１）から排出される汚水を収容する排便水収容筒（３０）と、
前記浴槽（２０）に入った子供を洗うための温水供給手段と、温水に濡れた子供の体を乾かすための温風供給手段とを有したビデ装置（４０）と、
を備えることを特徴とする乳児用カーシート（８０）。
【請求項３】
前記ビデ装置（４０）は、移動式ビデ機（４１）であって、ボデー（４１ａ）の上部に、前記排出管（２１）から出てくる汚水が落ちる汚物投入口（４１ｂ）が形成され、前記汚物投入口（４１ｂ）の下部には、収納空間（４１ｃ）が形成され、前記排便水収容筒（３０）は、前記収納空間（４１ｃ）に収納されることを特徴とする請求項２に記載の乳児用カーシート（８０）。
【請求項４】
前記ビデ装置（４０）は、前記浴槽（２０）に設置され、前記排出管（２１）の下部に、収納空間（２２）が形成され、前記排便水収容筒（３０）は、前記収納空間（２２）に収納されることを特徴とする請求項２に記載の乳児用カーシート（８０）。
【請求項５】
前記ビデ装置（４０）は、前記本体（１０）に設置されることを特徴とする請求項２に記載の乳児用カーシート（８０）。
【請求項６】
前記ビデ装置（４０）は、移動式ビデ機（４１）であって、内部に自動車を洗車するための洗車用水供給手段（４２）が含まれ、前記洗車用水供給手段（４２）に連結され、前記洗車用水供給手段（４２）から供給される水で自動車を洗うように構成された洗車用ブラシ（５０）が含まれて構成されることを特徴とする請求項２に記載の乳児用カーシート（８０）。
【請求項７】
前記洗車用水供給手段（４２）は、水タンク（４０ｂ）にホースで連結されたポンプ（４０ｃ）にホースで連結され、ノブ（４２ｂ）に供給される水の移動方向を操作することができる切り換えバルブ（４２ａ）と、前記切り換えバルブ（４２ａ）にホースで連結された洗車用ノズル（４２ｃ）とから構成され、
前記洗車用ブラシ（５０）は、前記洗車用ノズル（４２ｃ）から供給される洗車用水が噴出されるノズル（５１ａ）とブラシ（５１ｂ）とが一側に備わり、他側に、ガラス窓磨き用シリコン（５１ｃ）が固定されたヘッド部（５１）と、前記ヘッド部（５１）に連結された取っ手用パイプ（５２）と、前記ヘッド部（５１）の前記ノズル（５１ａ）に、洗車用水が供給されるように、前記取っ手用パイプ（５２）に一側が連結され、他側に、前記洗車用ノズル（４２ｃ）に結合される連結キャップ（５３ａ）が含まれたホース（５３）と、から構成され、前記移動式ビデ装置（４１）には、家庭用電源を自動車用直流電源に変換させるアダプタ（４３）が含まれて構成されることを特徴とする請求項６に記載の乳児用カーシート（８０）。
【請求項８】
前記シートバック部（１１）に載置され、シート部（６０ａ）と背もたれ部（６０ｂ）とに安全ベルト挿入孔（６１）がそれぞれ形成された補助シートバック（６０）が含まれて構成されることを特徴とする請求項１または請求項２に記載の乳児用カーシート（８０）。
【請求項９】
浴槽を含む乳児用カーシートにおいて、
自動車のシートに固定され、子供が座るシートバック部（１１）が形成された本体（１０）と、
前記シートバック部（１１）に載置されて子供を洗った後で汚くなった水を排出させる排出管（２１）が形成された浴槽（２０）と、
前記排出管（２１）から排出される汚水を収容する排便水収容筒（３０）と、
前記浴槽（２０）に入った子供を洗うための温水供給手段と、温水に濡れた子供の体を乾かすための温風供給手段と、自動車を洗車するための洗車用水供給手段（４２）とを有した移動式ビデ機（４１）と、
前記洗車用水供給手段（４２）に連結され、前記洗車用水供給手段（４２）から供給される水で自動車を洗うように構成された洗車用ブラシ（５０）と、
前記シートバック部（１１）内に載置され、シート部（６０ａ）と背もたれ部（６０ｂ）とに安全ベルト挿入孔（６１）がそれぞれ形成された補助シートバック（６０）と、
を備えることを特徴とする乳児用カーシート（８０）。
【請求項１０】
前記浴槽（２０）の両側面（２０ｂ）に、内周面にねじ部が形成された結合溝（２３）がそれぞれ形成され、前記本体（１０）の両側面（１２）に、内周面にねじ部が形成された結合孔（１３）がそれぞれ形成され、前記結合溝（２３）と前記結合孔（１３）は、結合ねじ（１４）で両側でそれぞれ結合されることを特徴とする請求項１、請求項２及び請求項９のうち、いずれか１項に記載の乳児用カーシート（８０）。
【請求項１１】
前記浴槽（２０）のエッジ部分は、前記シートバック部（１１）のエッジ部分を覆うように形成され、前記浴槽（２０）の前方両側には、脚（２４）がそれぞれ形成され、前記排出管（２１）は、前記両側脚（２４）の間で下に形成され、前記浴槽（２０）の内部底面（２０ａ）には、前記排出管（２１）の入口に向かって傾斜したガイド溝（２５）が形成されることを特徴とする請求項１、請求項２及び請求項９のうち、いずれか１項に記載の乳児用カーシート（８０）。
【請求項１２】
前記補助シートバック（６０）は、丈夫な材質から構成され、両側面（６０ｃ）に、内周面にねじ部が形成された結合孔（６２）がそれぞれ形成され、前記補助シートバック（６０）に載置され、両側面（７０ｂ）に、内周面にねじ部が形成された結合孔（７１）がそれぞれ形成されて子供を入れて移動させることができるように構成された小児用キャリア（７０）が含まれ、前記本体（１０）の両側面（１２）に、内周面にねじ部が形成された結合孔（１３）がそれぞれ形成され、前記結合孔（６２、７１）と前記結合孔（１３）は、結合ねじ（１４）で両側でそれぞれ結合されることを特徴とする請求項９に記載の乳児用カーシート（８０）。
【請求項１３】
前記補助シートバック（６０）に載置され、シート部（６３ａ）と背もたれ部（６３ｂ）とに安全ベルト（１０ｂ）を差し込む挿入孔（６４）がそれぞれ形成された第２補助シートバック（６３）が含まれて構成されることを特徴とする請求項９に記載の乳児用カーシート（８０）。
【請求項１４】
前記洗車用水供給手段（４２）は、水タンク（４０ｂ）にホースで連結されたポンプ（４０ｃ）にホースで連結され、ノブ（４２ｂ）に供給される水の移動方向を操作することができる切り換えバルブ（４２ａ）と、前記切り換えバルブ（４２ａ）にホースで連結された洗車用ノズル（４２ｃ）と、から構成され、
前記洗車用ブラシ（５０）は、前記洗車用ノズル（４２ｃ）から供給される洗車用水が噴出されるノズル（５１ａ）とブラシ（５１ｂ）とが側面に備わり、他側に、ガラス窓磨き用シリコン（５１ｃ）が固定されたヘッド部（５１）と、前記ヘッド部（５１）に連結された取っ手用パイプ（５２）と、前記ヘッド部（５１）の前記ノズル（５１ａ）に、洗車用水が供給されるように、前記取っ手用パイプ（５２）に一側が連結され、他側に、前記洗車用ノズル（４２ｃ）に結合される連結キャップ（５３ａ）が含まれたホース（５３）と、から構成され、前記移動式ビデ装置（４１）には、家庭用電源を自動車用直流電源に変換させるアダプタ（４３）が含まれて構成されることを特徴とする請求項９に記載の乳児用カーシート（８０）。
【発明の詳細な説明】
【技術分野】
【０００１】
本発明は、浴槽が含まれた乳児用カーシートに関する。
【背景技術】
【０００２】
乳児用カーシートは、子供を自動車に乗せて動き回るとき、子供の体に合うように、小サイズに形成された自動車用座席であって、安全ベルトが含まれている。
【０００３】
乳児用カーシートに浴槽を含める技術としては、特許文献１は、浴槽として使用することができる乳母車を、自動車のシートに固定させ、カーシートとしても使用するように構成されている。しかし、この技術の問題点は、乳母車を浴槽として使用するために、乳母車を家庭内に持ち込む場合、乳母車の輪についた土が、家庭内にまき散らされることを防止するために、輪を水で洗わなければならないという不都合があり、特に、乳母車の構造を見るとき、子供の体を洗った水を流し送る排水孔が、下部底面にじかにあけられており、おむつに大便をもらした子供の尻を洗った汚水を排水孔に取り出せば、この汚水は、乳母車の下部面を伝わって流れ、乳母車が汚い細菌に覆われ、非常に非衛生的である。
【先行技術文献】
【特許文献】
【０００４】
【特許文献１】大韓民国実用新案第１９９３−１４４４号公報
【発明の概要】
【発明が解決しようとする課題】
【０００５】
本発明は、衛生的であって便利な浴槽が含まれた乳児用カーシートを提供するものである。
【課題を解決するための手段】
【０００６】
本発明の一具現例は、乳児用カーシートに排出管が形成された浴槽と、排便水収容筒と、子供の体を温水で洗って乾かすことができるビデ装置とが含まれ、衛生的であって便利であり、有用な乳児用カーシートを提供するものである。
【０００７】
本発明の他の一具現例は、乳児用カーシートに排出管が形成された浴槽と、排便水収容筒と、子供の体を温水で洗って乾かすことができる移動式ビデ機と、前記移動式ビデ機に連結されて使用する洗車用ブラシと、補助シートバック部とが含まれ、衛生的であって便利であり、さらに有用な乳児用カーシートを提供するものである。
【発明の効果】
【０００８】
本発明の一具現例による乳児用カーシートは、排出管が形成された浴槽と、排便水収容筒と、ビデ装置とが含まれ、おむつを替えたり、子供が入浴をした後、汚水が排出管を介して排便水収容筒にすぐに入っていくので、非常に衛生的であり、また、ビデ装置の暖かい温水で子供を洗った後、ビデ装置の温風で乾かすことができて非常に有用である。
【０００９】
本発明の他の一具現例による乳児用カーシートは、排出管が形成された浴槽と、排便水収容筒と、子供の体を洗って乾かすことができる移動式ビデ機と、前記移動式ビデ機に連結されて使用する洗車用ブラシと、補助シートバック部とが含まれ、子供を洗った後、移動式ビデ機と洗車用ブラシとを使用して自動車も洗車することも可能であり、衛生的であってあり非常に有用である。
【図面の簡単な説明】
【００１０】
【図１】本発明の一具現例を示した構成図である。
【図２】図１の使用状態図である。
【図３】移動式ビデ機の他の実施例を示した図面である。
【図４】浴槽の他の実施例を示した図面である。
【図５】乳児用カーシートの本体にビデ装置が設置されたところを示した図面である。
【図６】本発明の他の一具現例の構成を示した構成図である。
【図７】図６の本体に、補助シートバック部と小児用キャリアとが固定されたところを示した使用状態斜視図である。
【図８】図６の本体に、補助シートバックと第２補助シートバックとが固定されたところを示した使用状態斜視図である。
【図９】図６の本体に、補助シートバックを固定させて使用するところを示した使用状態斜視図である。
【図１０】シートバック部だけ使用するところを示した使用状態斜視図である。
【図１１】移動式ビデ機の、温水供給手段、温風供給手段及び洗車用水供給手段の構成を概略的に示した図面である。
【図１２】移動式ビデ機に、洗車用ブラシを連結して自動車を洗車するところを示す使用状態図である。
【発明を実施するための形態】
【００１１】
以下、本発明の具現例について詳細に説明する。ただし、それらは例示として提示されるものであり、それによって、本発明が制限されるものではなく、本発明は、特許請求の範囲によってのみ定義されるのである。
【００１２】
本発明の一具現例として、図１及び図２に図示されているように、本発明の乳児用カーシート８０は、自動車のシートに固定され、子供が座るシートバック部１１が形成された本体１０と、前記シートバック部１１に載置され、子供を洗った後で汚くなった水を排出させる排出管２１が形成された浴槽２０と、前記排出管２１から排出される汚水を収容する排便水収容筒３０と、前記浴槽２０に入った子供を洗うための温水供給手段と、温水に濡れた子供の体を乾かすための温風供給手段とを有したビデ装置４０とが含まれて構成される。
【００１３】
ビデ装置４０の他の実施例として、図３でのように、前記ビデ装置４０は、持ち運ぶことができる移動式ビデ機４１であり、ボデー４１ａの上部に、前記排出管２１から出てくる汚水が落ちる汚物投入口４１ｂが形成され、前記汚物投入口４１ｂの下部には、収納空間４１ｃが形成され、前記排便水収容筒３０は、前記収納空間４１ｃに収納される。
【００１４】
浴槽２０の他の実施例として、前記ビデ装置４０（図４）は、前記浴槽２０に設置され、前記排出管２１の下部に、収納空間２２が形成され、前記排便水収容筒３０は、前記収納空間２２に収納される。
【００１５】
本体１０の他の実施例として、前記ビデ装置４０（図５）は、前記本体１０に設置されてもよい。
【００１６】
本発明の他の一具現例として、図６ないし図１２に図示されているように、本発明の乳児用カーシート８０は、自動車のシートに固定され、子供が座るシートバック部１１が形成された本体１０と、前記シートバック部１１に載置され、子供を洗った後で汚くなった水を排出させる排出管２１が形成された浴槽２０と、前記排出管２１から排出される汚水を収容する排便水収容筒３０と、前記浴槽２０に入った子供を洗うための温水供給手段、温水に濡れた子供の体を乾かすための温風供給手段、及び自動車を洗車するための洗車用水供給手段４２（図１１）を有した移動式ビデ機４１と、前記洗車用水供給手段４２に連結され、前記洗車用水供給手段４２から供給される水で自動車を洗うように構成された洗車用ブラシ５０と、前記シートバック部１１内に載置され、シート部６０ａと背もたれ部６０ｂとに安全ベルト挿入孔６１がそれぞれ形成された補助シートバック６０とが含まれて構成される。
【００１７】
本発明の他の具現例の実施例１として、前記浴槽２０の両側面２０ｂに、内周面にねじ部が形成された結合溝２３がそれぞれ形成され、前記本体１０の両側面１２に、内周面にねじ部が形成された結合孔１３がそれぞれ形成され、前記結合溝２３と前記結合孔１３は、結合ねじ１４で両側でそれぞれ結合される。
【００１８】
本発明の他の具現例の実施例２として、前記浴槽２０のエッジ部分は、前記シートバック部１１のエッジ部分を覆うように形成され、前記浴槽２０の前方両側には、脚２４がそれぞれ形成され、前記排出管２１は、前記両側脚２４間に下に形成され、前記浴槽２０の内部底面２０ａには、前記排出管２１の入口に向かって傾斜したガイド溝２５が形成される。
【００１９】
本発明の他の具現例の実施例３として、前記補助シートバック６０は、丈夫な材質から構成され、両側面６０ｃに、内周面にねじ部が形成された結合孔６２がそれぞれ形成され、前記補助シートバック６０に載置され、両側面７０ｂに、内周面にねじ部が形成された結合孔７１がそれぞれ形成され、子供を入れて移動させることができるように構成された小児用キャリア７０が含まれ、前記本体１０の両側面１２に、内周面にねじ部が形成された結合孔１３がそれぞれ形成され、前記結合孔６２，７１と前記結合孔１３は、結合ねじ１４によって、両側でそれぞれ結合される。
【００２０】
本発明の他の具現例の実施例４として、前記補助シートバック６０に載置され、シート部６３ａと背もたれ部６３ｂとに、安全ベルト１０ｂを差し込む挿入孔６４（図８）がそれぞれ形成された第２補助シートバック６３が含まれて構成される。
【００２１】
本発明の他の具現例の実施例５として、前記洗車用水供給手段４２（図１１）は、水タンク４０ｂにホースで連結されたポンプ４０ｃにホースで連結され、ノブ（knob）４２ｂに供給される水の移動方向を操作することができる切り換えバルブ４２ａと、切り換えバルブ４２ａに、ホースで連結された洗車用ノズル４２ｃとから構成され、前記洗車用ブラシ５０（図１２）は、洗車用ノズル４２ｃから供給される洗車用水が噴出されるノズル５１ａとブラシ５１ｂとが側面に備わり、他側に、ガラス窓磨き用シリコン５１ｃが固定されたヘッド部５１と、前記ヘッド部５１に連結された取っ手用パイプ５２と、前記ヘッド部５１の前記ノズル５１ａに洗車用水が供給されるように、取っ手用パイプ５２に一側が連結され、他側に、前記洗車用ノズル４２ｃに結合される連結キャップ５３ａが含まれたホース５３と、から構成され、前記移動式ビデ装置４１（図６）には、家庭用電源を自動車用直流電源に変換させる電流変換アダプタ４３が含まれて構成される。
【００２２】
移動式ビデ機４１に係わる敷衍説明を行えば、移動式ビデ機４１（図１１）は、持ち運び可能な握り部が形成され、温水供給手段４０ａは、水タンク４０ｂに連結されたポンプ４０ｃにより、温水タンク４０ｄに供給された水が、温水タンク４０ｄ内に設けられたヒータ４０ｅで暖められた後、ホースを介して、シャワーヘッド４０ｇ噴出され、温風供給手段４０ｈは、ファンモータ４０ｉにより、電熱器４０ｊで加熱された温風が、ホースで連結された温風ヘッド４０ｋを介して噴出されるように構成される。
【００２３】
子供の体を洗うことが終わった後、自動車を洗車するときには、移動式ビデ機４１の洗車用水供給手段４２のノズル４２ｃに、洗車用ブラシ５０の連結キャップ５３ａを結合した後、切り換えバルブ４２ａのノブ４２ｂを操作し、自動車１００のシガージャック１０１に、接続用プラグ４０ｍを接続して電源スイッチを作動させればよい。
【００２４】
本発明の浴槽２０に水を多く入れて子供を入浴させることも可能であるが、排便水収容筒３０は、浴槽２０の水を取り込めないために、子供の大便のついたおむつを替えた後、子供の尻を洗ったり、あるいは軽くシャワーをさせるほどに水を少なく使用するときに使い勝手が好ましい。
【００２５】
図面で説明されていない符号１０ａは、ベース部であり、図面で説明されていない符号１０ｃは、安全ベルト１０ｂを固定させるバックルであり、図面で説明されていない符号４０ｆは、ドレインバルブである。
【産業上の利用可能性】
【００２６】
本発明は、衛生性にすぐれ、使い勝手の良好な乳児用カーシートに適用可能である。
【図１】
2013525205.tif 000003
【図２】
2013525205.tif 000004
【図３】
2013525205.tif 000005
【図４】
2013525205.tif 000006
【図５】
2013525205.tif 000007
【図６】
2013525205.tif 000008
【図７】
2013525205.tif 000009
【図８】
2013525205.tif 000010
【図９】
2013525205.tif 000011
【図１０】
2013525205.tif 000012
【図１１】
2013525205.tif 000013
【図１２】
2013525205.tif 000014
【国際調査報告】
2013525205.tif 000015
2013525205.tif 000016
2013525205.tif 000017
2013525205.tif 000018